(57)【特許請求の範囲】
【請求項１】
複数本の燃料棒と、ウォータロッドと、前記ウォータロッドに隣接して配置された複数本の部分長燃料棒とを備え、沸騰水型原子炉の炉心に装荷される燃料集合体用のスペーサであって、
矩形状に形成されたバンドと、
前記バンドの内部に配列され、前記燃料棒を支持するための複数の燃料棒支持部材と、
前記ウォータロッドを囲むように配置され、前記ウォータロッドを支持するためのウォータロッド支持部材と、
前記ウォータロッド支持部材および前記ウォータロッド支持部材に隣接する前記燃料棒支持部材により画成された間隙空間に配置され、かつ、前記ウォータロッド支持部材と、前記ウォータロッド支持部材に隣接する前記燃料棒支持部材とに接合され、それにより、前記燃料集合体への水平方向の荷重に対する前記間隙空間における前記スペーサの強度を補強するサポートプレート部材と、を備え、
前記サポートプレート部材は、第１のサポートプレート部材と第２のサポートプレート部材からなり、
前記第１及び第２のサポートプレート部材の各々は、一端部が前記ウォータロッド支持部材に隣接する前記燃料棒支持部材に接合され、他端部が前記ウォータロッド支持部材に接合されており、前記第１及び第２のサポートプレート部材間の距離は前記ウォータロッド支持部材から離れるにつれて短くなり、前記第１及び第２のサポートプレート部材の前記一端部が互いに対向していることを特徴とするスペーサ。
【請求項２】
複数本の燃料棒と、ウォータロッドと、前記ウォータロッドに隣接して配置された複数本の部分長燃料棒とを備え、沸騰水型原子炉の炉心に装荷される燃料集合体用のスペーサであって、
矩形状に形成されたバンドと、
前記バンドの内部に配列され、前記燃料棒を支持するための複数の燃料棒支持部材と、
前記ウォータロッドを囲むように配置され、前記ウォータロッドを支持するためのウォータロッド支持部材と、
前記ウォータロッド支持部材および前記ウォータロッド支持部材に隣接する前記燃料棒支持部材により画成された間隙空間に配置され、かつ、前記ウォータロッド支持部材と、前記ウォータロッド支持部材に隣接する前記燃料棒支持部材とに接合され、それにより、前記燃料集合体への水平方向の荷重に対する前記間隙空間における前記スペーサの強度を補強するサポートプレート部材と、を備え、
前記サポートプレート部材は、凸状部を有するように中央領域において湾曲あるいは折り曲がった板状の部材であり、前記凸状部が高さ方向の全長にわたって前記ウォータロッド支持部材に隣接する１つまたは複数の前記燃料棒支持部材に接合されるとともに、左右の端部が前記ウォータロッド支持部材に接合されており、
前記サポートプレート部材の前記凸状部とその反対側の端部との間に位置する平坦部には、下側にいくほど前記サポートプレート部材と前記ウォータロッド支持部材とで画成された空間に向かって大きく凹む傾斜領域が形成されていることを特徴とするスペーサ。
【請求項３】
前記サポートプレート部材の前記傾斜領域における縦断面形状は、前記燃料集合体の軸方向に対して一様な傾きを有する直線形状であることを特徴とする請求項２に記載のスペーサ。
【請求項４】
前記サポートプレート部材の前記傾斜領域における縦断面形状は、下側では、前記燃料集合体の軸方向に対して第１の傾きで傾斜し、上側では、前記燃料集合体の軸方向に対して前記第１の傾きよりも大きい第２の傾きで傾斜していることを特徴とする請求項２に記載のスペーサ。
【請求項５】
前記サポートプレート部材の前記傾斜領域は、前記燃料集合体の軸方向を軸線とした曲げ部を介して複数の傾斜面から構成され、前記各傾斜面の法線はそれぞれ割り当てられた前記燃料棒に向くことを特徴とする請求項２ないし４のいずれかに記載のスペーサ。
【請求項６】
複数本の燃料棒と、ウォータロッドと、前記ウォータロッドに隣接して配置された複数本の部分長燃料棒とを備え、沸騰水型原子炉の炉心に装荷される燃料集合体用のスペーサであって、
矩形状に形成されたバンドと、
前記バンドの内部に配列され、前記燃料棒を支持するための複数の燃料棒支持部材と、
前記ウォータロッドを囲むように配置され、前記ウォータロッドを支持するためのウォータロッド支持部材と、
前記ウォータロッド支持部材および前記ウォータロッド支持部材に隣接する前記燃料棒支持部材により画成された間隙空間に配置され、かつ、前記ウォータロッド支持部材と、前記ウォータロッド支持部材に隣接する前記燃料棒支持部材とに接合され、それにより、前記燃料集合体への水平方向の荷重に対する前記間隙空間における前記スペーサの強度を補強するサポートプレート部材と、を備え、
前記サポートプレート部材は板状の部材であり、一端が前記ウォータロッド支持部材に接合され、他端が前記ウォータロッド支持部材に隣接する前記燃料棒支持部材に接合されており、
前記板状のサポートプレート部材は、前記ウォータロッド支持部材に隣接する前記燃料棒支持部材のうち所定の燃料棒支持部材の方に向くように、前記燃料集合体の軸方向に対して傾斜して設けられていることを特徴とするスペーサ。
【請求項７】
前記板状のサポートプレート部材は、前記燃料集合体の軸方向と直交する折り曲げ線に沿って折り曲げられ、前記サポートプレート部材の縦断面形状が、前記折り曲げ線の下側では、前記燃料集合体の軸方向に対して第１の傾きで傾斜し、前記折り曲げ線の上側では、前記燃料集合体の軸方向に対して前記第１の傾きよりも大きい第２の傾きで傾斜していることを特徴とする請求項６に記載のスペーサ。
【請求項８】
複数本の燃料棒と、ウォータロッドと、前記ウォータロッドに隣接して配置された複数本の部分長燃料棒とを備え、沸騰水型原子炉の炉心に装荷される燃料集合体用のスペーサであって、
矩形状に形成されたバンドと、
前記バンドの内部に配列され、前記燃料棒を支持するための複数の燃料棒支持部材と、
前記ウォータロッドを囲むように配置され、前記ウォータロッドを支持するためのウォータロッド支持部材と、
前記ウォータロッド支持部材および前記ウォータロッド支持部材に隣接する前記燃料棒支持部材により画成された間隙空間に配置され、かつ、前記ウォータロッド支持部材と、前記ウォータロッド支持部材に隣接する前記燃料棒支持部材とに接合され、それにより、前記燃料集合体への水平方向の荷重に対する前記間隙空間における前記スペーサの強度を補強するサポートプレート部材と、を備え、
前記サポートプレート部材は管状の部材であり、前記ウォータロッド支持部材に接合されるとともに、前記ウォータロッド支持部材に隣接する前記燃料棒支持部材に接合されており、
前記管状のサポートプレート部材は、中心軸が前記燃料集合体の軸方向と平行になるように設けられ、かつ径が前記燃料集合体の上側にいくにつれて大きくなることを特徴とするスペーサ。
【請求項９】
前記管状のサポートプレート部材の径は、下側では、前記燃料集合体の上側にいくにつれて第１の増加率で大きくなり、上側では、前記燃料集合体の上側にいくにつれて前記第１の増加率よりも大きい第２の増加率で大きくなることを特徴とする請求項８に記載のスペーサ。
【請求項１０】
複数本の燃料棒と、ウォータロッドと、前記ウォータロッドに隣接して配置された複数本の部分長燃料棒とを備え、沸騰水型原子炉の炉心に装荷される燃料集合体用のスペーサであって、
矩形状に形成されたバンドと、
前記バンドの内部に配列され、前記燃料棒を支持するための複数の燃料棒支持部材と、
前記ウォータロッドを囲むように配置され、前記ウォータロッドを支持するためのウォータロッド支持部材と、
前記ウォータロッド支持部材および前記ウォータロッド支持部材に隣接する前記燃料棒支持部材により画成された間隙空間に配置され、かつ、前記ウォータロッド支持部材と、前記ウォータロッド支持部材に隣接する前記燃料棒支持部材とに接合され、それにより、前記燃料集合体への水平方向の荷重に対する前記間隙空間における前記スペーサの強度を補強するサポートプレート部材と、を備え、
前記サポートプレート部材は管状の部材であり、前記ウォータロッド支持部材に接合されるとともに、前記ウォータロッド支持部材に隣接する前記燃料棒支持部材に接合されており、
前記管状のサポートプレート部材は、前記ウォータロッド支持部材に隣接する前記燃料棒支持部材のうち所定の燃料棒支持部材の方に向くように、中心軸が前記燃料集合体の軸方向に対して傾斜するように設けられていることを特徴とするスペーサ。
【請求項１１】
前記サポートプレート部材の上端は前記燃料棒支持部材の上端と同じ高さまたは前記上端よりも低い位置にあり、前記サポートプレート部材の下端は前記燃料棒支持部材の下端と同じ高さまたは前記下端よりも高い位置にあることを特徴とする請求項１ないし１０のいずれかに記載のスペーサ。
【請求項１２】
前記サポートプレート部材は、前記燃料棒支持部材の上端よりも高い位置に突出し、かつ、上側にいくにつれて、前記ウォータロッド支持部材に隣接する前記燃料棒支持部材に向かうように傾斜している傾斜突出部を有することを特徴とする請求項１ないし１０のいずれかに記載のスペーサ。
【発明の詳細な説明】
【技術分野】
【０００１】
本発明は、スペーサ、より詳しくは、沸騰水型原子炉の炉心に装荷され、かつ部分長燃料棒をウォータロッドに隣接して配置した燃料集合体に用いられるスペーサに関する。
【背景技術】
【０００２】
図５は、一般的な沸騰水型原子炉用の燃料集合体１（１０行１０列型）の縦断面図である。燃料集合体１は、上部タイプレート２と、下部タイプレート３と、上部タイプレート３および下部タイプレート４により両端が保持された複数の燃料棒４と、燃料集合体１の水平面内の中央領域に配置されたウォータロッド５とを備える。また、燃料集合体１は、燃料棒４およびウォータロッド５を束ね、軸方向に隔設されたスペーサ６Ａ、６Ｂ及び６Ｃと、これらのスペーサで束ねられた燃料棒束を取り囲み、上部タイプレート２に取り付けられたチャンネルボックス７と、部分長燃料棒８，９とを備えている。
【０００３】
図５に示すように、スペーサ６Ａ、６Ｂおよび６Ｃはそれぞれ、燃料集合体１の軸方向下部領域、中間部領域および上部領域に配置されたスペーサである。図６（ａ）、図６（ｂ）および図６（ｃ）は、それぞれスペーサ６Ａ、スペーサ６Ｂおよびスペーサ６Ｃの断面と、ウォータロッド５及びウォータロッド５に隣接する部分長燃料棒８，９の断面とを示している。
【０００４】
スペーサ６Ａ、６Ｂ及び６Ｃはいずれも、略矩形状に形成されたバンド１２と、バンド１２の内部に正方格子状に配置され、燃料棒を支持するための燃料棒支持部材（丸セル等）１１とを有する。
【０００５】
冷却材は、燃料集合体１の下方より、燃料支持金具のオリフィス（開口部）及び下部タイプレート３を経由してチャンネルボックス７内に流入し、燃料棒４により熱せられ沸騰することにより一部が蒸気（ボイド）となり、気液二相流となる。
【０００６】
また、一部の冷却材は、下部タイプレート３に設けられた小孔（リークホール）等を通って、チャンネルボックス７の外側（バイパス領域）に流れ込み、水ギャップ領域を形成する。
【０００７】
上記の燃料集合体が商用の原子力発電に用いられている。燃料集合体あたりの燃料棒の収容本数については、国内で商用の発電がスタートして以来、７行７列型、８行８列型、そして９行９列型の燃料集合体が採用されるに至っている。
【０００８】
原子力発電の経済性を向上させるためには、原子炉の出力密度の向上を図り、原子力発電所あたりの発電量を増加させることが有効である。このような観点から、出力密度を高めた新型炉の開発や、既存の原子力発電所の発電量を増加させる取り組みが進められている。
【０００９】
一方、原子炉の出力密度が向上するに伴い、原子炉内の燃料集合体当たりの発生出力が増加する。このため、熱的な余裕、即ち、燃料棒の単位長さ当たりの発生出力である線出力密度の制限値に対する余裕や、燃料棒表面で沸騰遷移が起こり膜沸騰に至る出力である限界出力に対する余裕が減少する。また、燃料経済性の向上のために、燃料集合体の取出平均燃焼度を増加させる高燃焼度化の取り組みも進行中であるが、この高燃焼度化によっても熱的な余裕が減少する。
【００１０】
そこで、線出力密度の制限値に対する余裕が増加した燃料集合体の開発が進められている。例えば、各燃料棒の有効長を従来よりも延長し、燃料集合体当たりの燃料棒有効長の総和を増加させた燃料集合体や、また、燃料棒を１１行１１列以上の正方格子状に配置し、収納本数を増加させた燃料集合体の開発が進められている。
【００１１】
現在、このような高燃焼度用燃料の一つとして、部分長燃料棒を燃料棒の一部に適用した燃料集合体が多く実用化されている。図５に示す燃料集合体１も、この種の高燃焼度用燃料集合体であり、部分長燃料棒８，９を備えている。部分長燃料棒８、９は、標準の燃料棒４よりも短く、高さが上部タイプレート２に達しない部分長の燃料棒である。ウォータロッド５は細径部５ａおよび太径部５ｂを有する。部分長燃料棒８の上端は、ウォータロッド５の細径部５ａから太径部５ｂに遷移する位置よりも低い。部分長燃料棒８は、ウォータロッド５の太径部５ｂが占めている領域から細径部５ａが占めている領域を差し引いた領域に配置されている。
【００１２】
一方、部分長燃料棒９の上端は、細径部５ａから太径部５ｂに遷移する位置よりも高い。部分長燃料棒９は、ウォータロッド５の太径部５ｂに隣接する位置に配置される。
【００１３】
また、図６（ａ）に示すように、燃料集合体１の下部領域においては標準長の燃料棒４（図示せず）、部分長燃料棒８及び９が密に配置されている。一方、図６（ｂ）、（ｃ）に示すように、中間部領域および上部領域においては、部分長燃料棒８が占めていた空間が間隙空間Ｃとなる。即ち、ウォータロッド５の太径部５ｂの周囲には、間隙空間Ｃが形成される。この間隙空間Ｃは、燃料棒の配置ピッチ程度の幅の第１の間隙と、燃料棒の配置ピッチの２倍程度の幅の第２の間隙との積に相当する断面積を有する。ここで、第１の間隙は、ウォータロッド５の太径部５ｂからバンド１２の方向の間隙であり、第２の間隙は、第１の間隙と直交する方向の間隙である。
【００１４】
このように部分長燃料棒を燃料棒の一部として配した燃料集合体では、上部領域に間隙空間Ｃが形成され、この空間が冷却材の流路となる。このため、冷却材が気液二相状態となる上部領域において冷却材の流路が増え、それにより、減速材／燃料比（Ｈ／Ｕ比）が改善されるとともに、冷却材が気液二相状態となる領域における圧力損失が低減される。その結果、原子炉の運転中における安定性が改善される。
【００１５】
なお、特許文献１および２には、上記の燃料集合体１と同様に、ウォータロッドおよび部分長燃料棒を採用した燃料集合体が開示されている。
【００１６】
特許文献１に記載された燃料集合体では、前述のウォータロッド５と同様、断面が円形で、上部領域において下部領域よりも径が太くなるウォータロッドを備え、該ウォータロッドの外形に合わせて部分長燃料棒が配置されている。特許文献１の図１（ＦＩＧ．＿１Ｃ及びＦＩＧ．＿１Ｄ）に示されているように、ウォータロッド支持部材とそれに隣接する燃料棒支持部材との間に、燃料棒の配置ピッチの半分以上の間隙が燃料棒２〜３本分の幅にわたって開いている。
【００１７】
特許文献２に記載された燃料集合体では、下部領域では断面が円形の細径円柱部で、上部領域では断面が四角形のウォータボックスのウォータロッドを備え、特許文献２の図８（ｂ）に示されているように、該ウォータロッドを取り囲むように、ウォータボックスの上端よりも上端の高さが低い部分長燃料棒が複数本配置されている。また、特許文献２の図７（ｂ）に示されているように、部分長燃料棒の上端よりも上方の領域においては、ウォータロッドとウォータロッドに隣接する燃料棒との間に、燃料棒の配置ピッチと同程度の間隙が燃料棒の複数本数の幅にわたって開いている。
【先行技術文献】
【特許文献】
【００１８】
【特許文献１】特開平５-１４２３７３号公報
【特許文献２】特開２００６−１８４１７４号公報
【発明の概要】
【発明が解決しようとする課題】
【００１９】
上記のように、部分長燃料棒の適用により、冷却材が気液二相状態となる燃料集合体の上部領域において、減速材／燃料比や圧力損失が改善される。その一方で、部分長燃料棒の上端よりも上方に配置されるスペーサについては、ウォータロッドと該ウォータロッドに隣接する燃料棒との間に、広い間隙空間が形成されることになる。この間隙空間におけるスペーサの強度は他の領域よりも相対的に弱くなる傾向にある。このため、地震時などに燃料集合体に水平方向の荷重が加わった場合、スペーサ全体の変形量が大きくなる。スペーサに永久変形が生じた場合には、燃料棒間の間隔を所定値に保持する機能に影響が生じるおそれがある。さらに、スペーサの変形量が過大となることで、丸セルやバンド等のスペーサを構成する部品（以下、「スペーサ部品」と略称する。）あるいはスペーサ部品間の溶接部に大きな歪みが繰返し加わり、疲労等により損傷が発生するおそれもある。
【００２０】
よって、部分長燃料棒の上端よりも上方に配置されるスペーサについては、燃料集合体に水平方向の荷重が加わる場合にも、十分な強度を確保できるように設計する必要がある。
【００２１】
さらに、チャンネルボックスの内側の横断面内における冷却材の流量配分については、チャンネルボックスに近い外周領域に比べて中央領域の方が冷却材の流量が大きくなる。一方、図６に示したように、多くの燃料集合体の設計では、ウォータロッドを中央領域に配置している。よって、中央領域に配置されたウォータロッドに隣接するように部分長燃料棒を適用した従来の燃料集合体では、燃料集合体の上部領域を流れる冷却材は、ウォータロッドとウォータロッドに隣接する燃料棒との間に形成される広い間隙空間を、燃料棒の除熱に十分に寄与しないまま上方に通過してしまうという燃料集合体の熱水力設計上の課題があった。
【００２２】
なお、上述した特許文献１および２は、上記の課題、即ち、ウォータロッドと該ウォータロッドに隣接する燃料棒との間の間隙に起因する、スペーサの強度や冷却材の除熱効率の低下等の課題について認識しておらず、何ら解決策を示していない。
【００２３】
本発明は、上記の技術的認識に基づいてなされたものであり、燃料集合体の上部領域に配置されるスペーサにおいて形成されるウォータロッド周辺の広い間隙に起因するスペーサの強度や冷却材の除熱効率の問題を解決し、スペーサの所要の強度を確保するとともに、ウォータロッドに隣接する燃料棒の限界出力を向上させることを目的とする。
【課題を解決するための手段】
【００２４】
本発明の一態様によるスペーサは、
複数本の燃料棒と、ウォータロッドと、前記ウォータロッドに隣接して配置された複数本の部分長燃料棒とを備え、沸騰水型原子炉の炉心に装荷される燃料集合体用のスペーサであって
矩形状に形成されたバンドと、
前記バンドの内部に配列され、前記燃料棒を支持するための複数の燃料棒支持部材と、
前記ウォータロッドを囲むように配置され、前記ウォータロッドを支持するためのウォータロッド支持部材と、
前記ウォータロッド支持部材および前記ウォータロッド支持部材に隣接する前記燃料棒支持部材により画成された間隙空間に配置され、かつ、前記ウォータロッド支持部材と、前記ウォータロッド支持部材に隣接する前記燃料棒支持部材とを接続し、前記燃料集合体への水平方向の荷重に対する前記間隙空間における前記スペーサの強度を補強するサポートプレート部材と、
を備えることを特徴とする。
【００２５】
また、前記スペーサにおいて、
前記サポートプレート部材は、板状の部材をその中央領域において湾曲あるいは折り曲げ、凸状部を有するものとして構成されており、前記凸状部が高さ方向の全長にわたって前記ウォータロッド支持部材に隣接する１つまたは複数の前記燃料棒支持部材に接合されるとともに、左右の端部が前記ウォータロッド支持部材に接合されているようにしてもよい。
【００２６】
また、前記スペーサにおいて、
前記サポートプレート部材は、板状の部材をその中央領域において湾曲あるいは折り曲げ、凸状部を有するものとして構成された部材を、前記凸状部の稜線に沿って切断することにより形成された第１のサポートプレート部材と第２のサポートプレート部材からなり、
前記第１及び第２のサポートプレート部材の各々は、前記凸状部側の端部が前記ウォータロッド支持部材に隣接する前記燃料棒支持部材に接合され、反対側の端部が前記ウォータロッド支持部材に接合されているようにしてもよい。
【００２７】
また、前記スペーサにおいて、
前記サポートプレート部材は、前記凸状部の稜線が前記燃料集合体の軸方向と平行になるように設けられているようにしてもよい。
【００２８】
また、前記スペーサにおいて、
前記サポートプレート部材の前記凸状部とその反対側の端部との間に位置する平坦部には、下側にいくほど前記サポートプレート部材と前記ウォータロッド支持部材とで画成された空間に向かって大きく凹む傾斜領域が形成されているようにしてもよい。
【００２９】
また、前記スペーサにおいて、
前記サポートプレート部材の前記傾斜領域における縦断面形状は、前記燃料集合体の軸方向に対して一様な傾きを有する直線形状であってもよい。
【００３０】
また、前記スペーサにおいて、
前記サポートプレート部材の前記傾斜領域における縦断面形状は、下側では、前記燃料集合体の軸方向に対して第１の傾きで傾斜し、上側では、前記燃料集合体の軸方向に対して前記第１の傾きよりも大きい第２の傾きで傾斜しているようにしてもよい。
【００３１】
また、前記スペーサにおいて、
前記サポートプレート部材の前記傾斜領域は、前記燃料集合体の軸方向を軸線とした曲げ部を介して複数の傾斜面から構成され、前記各傾斜面の法線はそれぞれ割り当てられた前記燃料棒に向くようにしてもよい。
【００３２】
また、前記スペーサにおいて、
前記サポートプレート部材は板状の部材であり、一端が前記ウォータロッド支持部材に接合され、他端が前記ウォータロッド支持部材に隣接する前記燃料棒支持部材に接合されているようにしてもよい。
【００３３】
また、前記スペーサにおいて、
前記板状のサポートプレート部材が前記ウォータロッド支持部材に隣接する前記燃料棒支持部材ごとに複数設けられているようにしてもよい。
【００３４】
また、前記スペーサにおいて、
前記板状のサポートプレート部材は、前記燃料集合体の軸方向と平行に設けられているようにしてもよい。
【００３５】
また、前記スペーサにおいて、
前記板状のサポートプレート部材は、前記ウォータロッド支持部材に隣接する前記燃料棒支持部材のうち所定の燃料棒支持部材の方に向くように、前記燃料集合体の軸方向に対して傾斜して設けられているようにしてもよい。
【００３６】
また、前記スペーサにおいて、
前記板状のサポートプレート部材は、前記燃料集合体の軸方向と直交する折り曲げ線に沿って折り曲げられ、前記サポートプレート部材の縦断面形状が、前記折り曲げ線の下側では、前記燃料集合体の軸方向に対して第１の傾きで傾斜し、前記折り曲げ線の上側では、前記燃料集合体の軸方向に対して前記第１の傾きよりも大きい第２の傾きで傾斜しているようにしてもよい。
【００３７】
また、前記スペーサにおいて、
前記サポートプレート部材は管状の部材であり、前記ウォータロッド支持部材に接合されるとともに、前記ウォータロッド支持部材に隣接する前記燃料棒支持部材に接合されているようにしてもよい。
【００３８】
また、前記スペーサにおいて、
前記管状のサポートプレート部材は、中心軸が前記燃料集合体の軸方向と平行になるように設けられ、かつ前記軸方向について径が変化しないようにしてもよい。
【００３９】
また、前記スペーサにおいて、
前記管状のサポートプレート部材は、中心軸が前記燃料集合体の軸方向と平行になるように設けられ、かつ径が前記燃料集合体の上側にいくにつれて大きくなるようにしてもよい。
【００４０】
また、前記スペーサにおいて、
前記管状のサポートプレート部材の径は、下側では、前記燃料集合体の上側にいくにつれて第１の増加率で大きくなり、上側では、前記燃料集合体の上側にいくにつれて前記第１の増加率よりも大きい第２の増加率で大きくなるようにしてもよい。
【００４１】
また、前記スペーサにおいて、
前記管状のサポートプレート部材は、前記ウォータロッド支持部材に隣接する前記燃料棒支持部材のうち所定の燃料棒支持部材の方に向くように、中心軸が前記燃料集合体の軸方向に対して傾斜するように設けられているようにしてもよい。
【００４２】
また、前記スペーサにおいて、
前記サポートプレート部材の上端は前記燃料棒支持部材の上端と同じ高さまたは前記上端よりも低い位置にあり、前記サポートプレート部材の下端は前記燃料棒支持部材の下端と同じ高さまたは前記下端よりも高い位置にあるようにしてもよい。
【００４３】
また、前記スペーサにおいて、
前記サポートプレート部材は、前記燃料棒支持部材の上端よりも高い位置に突出し、かつ、上側にいくにつれて、前記ウォータロッド支持部材に隣接する前記燃料棒支持部材に向かうように傾斜している傾斜突出部を有するようにしてもよい。
【発明の効果】
【００４４】
本発明では、ウォータロッド支持部材およびウォータロッド支持部材に隣接する燃料棒支持部材により画成され部分長燃料棒の上方に位置する間隙空間に、ウォータロッド支持部材と燃料棒支持部材を接続するサポートプレート部材を設ける。これにより、地震時などに水平方向の荷重が燃料集合体に加わった場合でも、間隙空間が拡大または縮小するようにスペーサが変形し、燃料棒の保持間隔に影響が生じることを防止することができる。
【００４５】
また、サポートプレート部材を設けることで、外部から加えられた荷重が他のスペーサ部品との接合箇所に分散されるため、間隙空間の周辺領域において、スペーサ部品やスペーサ部品間の溶接部などに過大な荷重が繰り返し集中して加わることを防ぎ、疲労等によりスペーサが損傷することを防止することができる。
【図面の簡単な説明】
【００４６】
【図１Ａ】第１の実施形態に係る燃料集合体の中央領域の、上部領域に配置されたスペーサの高さ位置における横断面図である。
【図１Ｂ】第１の変形例に係るスペーサの中央領域における横断面図である。
【図１Ｃ】第２の変形例に係るスペーサの中央領域における横断面図である。
【図１Ｄ】第３の変形例に係るスペーサの中央領域における横断面図である。
【図１Ｅ】第４の変形例に係るスペーサの中央領域における横断面図である。
【図２Ａ】第２の実施形態に係る燃料集合体の中央領域の、上部領域に配置されたスペーサの高さ位置における横断面図である。
【図２Ｂ】（ａ）および（ｂ）ともに、図２ＡのＡ−Ａ線に沿う端面図である。
【図３Ａ】第３の実施形態に係る燃料集合体の中央領域の、上部領域に配置されたスペーサの高さ位置における横断面図である。
【図３Ｂ】（ａ）および（ｂ）ともに、図３ＡのＢ−Ｂ線に沿う端面図である。
【図４】第３の実施形態の変形例によるサポートプレート部材の端面図である。
【図５】部分長燃料棒を採用した一般的な燃料集合体の縦断面図である。
【図６】（ａ）、（ｂ）及び（ｃ）はそれぞれ、燃料集合体の軸方向下部領域、中間部領域および上部領域に配置されたスペーサの断面と、ウォータロッド及び該ウォータロッドに隣接する部分長燃料棒の断面とを示す図である。
【発明を実施するための形態】
【００４７】
以下、図面を参照しながら、本発明の実施形態について説明する。なお、各図において同等の機能を有する構成要素には同一の符号を付し、同一符号の構成要素の詳しい説明は繰り返さない。
【００４８】
（第１の実施形態）
本実施形態に係る燃料集合体は、沸騰水型原子炉の炉心に装荷されるものであり、燃料集合体の上部領域に配置されるスペーサ以外の構成については、図５で説明した従来の燃料集合体と同様である。即ち、本実施形態に係る燃料集合体は、上部タイプレートと、下部タイプレートと、上部タイプレート及び下部タイプレートにより両端が保持された複数本の燃料棒と、内部に冷却材の一部が流れるように構成されたウォータロッドと、ウォータロッドに隣接して配置された複数本の部分長燃料棒と、燃料集合体の軸方向に隔設された複数のスペーサと、スペーサで束ねられた燃料棒からなる燃料束に装着された角筒状のチャンネルボックスとを備える。
【００４９】
なお、ウォータロッドは、図５及び図６に示したウォータロッドのように細径部および太径部を有するものであってもよいし、もしくは、全長にわたって一定の径を有するものであってもよい。また、ウォータロッドの横断面形状は円形と異なる形状（略正方形など）でもよい。
【００５０】
スペーサは、略矩形状に形成されたバンドと、バンドの内部に配列され、燃料棒または部分長燃料棒を支持する複数の燃料棒支持部材と、ウォータロッドを囲むように配置され、ウォータロッドを支持するウォータロッド支持部材とを有する。なお、燃料棒支持部材は、図１Ａでは円筒状の丸セルとして図示しているが、これに限らず、例えば、板状の部材（ディバイダ）を縦横に交差させることによって形成された、燃料棒を挿通可能な升目状の部材であってもよい。
【００５１】
バンド、燃料棒支持部材、ウォータロッド支持部材等のスペーサ部品は溶接等の手段により互いに接合されている。
【００５２】
図１Ａは、第１の実施形態に係る燃料集合体の中央領域の、上部領域に配置されたスペーサの高さ位置における横断面を示している。
【００５３】
本実施形態に係るスペーサは、ウォータロッド５を囲むように配置され、ウォータロッド５を支持するウォータロッド支持部材１３を有する。ウォータロッド支持部材１３は、図１Ａに示すように、両端がウォータロッド５に最も近い位置に配置された燃料棒支持部材１１に接合し、ウォータロッド５を囲むように配置された４枚の板材から構成されている。なお、ウォータロッド支持部材は、１つの部材で構成されてもよく、例えば略四角形の筒状の部材であってもよい。
【００５４】
図１Ａに示すように、本実施形態に係るスペーサはサポートプレート部材１４を有する。このサポートプレート部材１４は、図１Ａに示す間隙空間Ｃに配置されている。ここで、間隙空間Ｃは、ウォータロッド支持部材１３およびウォータロッド支持部材１３に隣接する燃料棒支持部材１１により画成された空間であり、部分長燃料棒の上方に位置する。
【００５５】
サポートプレート部材１４は、ウォータロッド支持部材１３と、ウォータロッド支持部材１３に隣接する燃料棒支持部材１１とを接続する。それにより、サポートプレート部材１４は、燃料集合体への水平方向の荷重に対する間隙空間Ｃにおけるスペーサの強度を補強する。
【００５６】
より具体的には、サポートプレート部材１４は、図１Ａに示すように、板状の部材をその中央領域において湾曲させ、凸状部１４ａを有するものとして構成されている。この凸状部１４ａは両側の平坦部１４ｂ，１４ｂにより挟まれている。サポートプレート部材１４は横断面が略Ｖ字型である。なお、凸状部１４ａは、板状の部材を中央領域で折り曲げ、角張った形状に形成されたものでもよい。
【００５７】
凸状部１４ａは、高さ方向（燃料集合体の軸方向）の全長にわたってウォータロッド支持部材１３に隣接する２つの燃料棒支持部材１１に接合されている。サポートプレート部材１４の左右の端部、即ち、端部１４ｃ，１４ｃは、ウォータロッド支持部材１３に接合されている。なお、サポートプレート部材１４は、溶接等の手段により、ウォータロッド支持部材１３および燃料棒支持部材１１に接合されている。
【００５８】
サポートプレート部材１４は、燃料棒支持部材１１の高さ方向の範囲内に配置されている。即ち、サポートプレート部材１４の上端は燃料棒支持部材１１の上端と同じ高さまたは上端よりも低い位置にあり、サポートプレート部材１４の下端は燃料棒支持部材１１の下端と同じ高さまたは下端よりも高い位置にある。これにより、スペーサの組立てや溶接治具への組み込み、溶接の作業性を確保することができる。
【００５９】
本実施形態では、偶数本数の燃料棒が正方格子状に配列された場合を示している。このため、サポートプレート部材１４の凸状部１４ａは、図１Ａに示すように、隣り合う燃料棒支持部材１１，１１の間に入り込み、これらの燃料棒支持部材１１，１１のそれぞれと接合されている。奇数本数の燃料棒が正方格子状に配列された燃料集合体の場合には、凸状部１４ａは、例えば、その頂点で中心位置の燃料棒支持部材と接合するようにしてもよい。あるいは、凸状部１４ａに切頭型の平坦部を設け、その平坦部において燃料棒支持部材１１と接合するようにしてもよい。
【００６０】
サポートプレート部材１４は、燃料集合体の軸方向と平行に設けられている。即ち、サポートプレート部材１４は、凸状部１４ａの稜線が燃料集合体の軸方向と平行になるように設けられている。そのため、サポートプレート部材１４とウォータロッド支持部材１３により形成された冷却材流路Ｄの面積は燃料集合体の軸方向に沿って変化せず、スペーサの横断面へのサポートプレート部材１４の投影面積が最小になる。
【００６１】
上記のように、本実施形態では、ウォータロッド支持部材１３と燃料棒支持部材１１を接続するサポートプレート部材１４を間隙空間Ｃに設ける。これにより、地震時などに水平方向の荷重が燃料集合体に加わった場合でも、間隙空間が拡大または縮小するようにスペーサが変形し、燃料棒の保持間隔に影響が生じることを防止することができる。
【００６２】
また、図１Ａに示すように、サポートプレート部材１４は、板状の部材をその中央領域において湾曲あるいは折り曲げ、凸状部１４ａを有するものとして構成され、この凸状部１４ａが燃料集合体の高さ方向の全長にわたってウォータロッド支持部材に隣接する１つまたは複数の燃料棒支持部材に接合されるとともに、左右の端部１４ｃがウォータロッド支持部材１３に接合されている。これにより、外部から加えられた荷重が他のスペーサ部品との接合箇所に分散されるため、間隙空間Ｃの周辺領域において、スペーサ部品やスペーサ部品間の溶接部などに過大な荷重が繰り返し集中して加わることを防ぎ、疲労等によりスペーサが損傷することを防止することができる。
【００６３】
また、サポートプレート部材１４を燃料集合体の軸方向と平行に設けることで、サポートプレート部材の追加によるスペーサの投影面積の増加を最小限に抑えることができる。
【００６４】
上記のように、本実施形態によれば、間隙空間Ｃにサポートプレート部材１４を設けることにより、地震時などに燃料集合体に水平方向の荷重が加わった場合を想定して設計上必要とされるスペーサの強度を確保することができる。
【００６５】
なお、本発明によるスペーサのサポートプレート部材は上記のものに限られず、様々な形状のものを想定することができる。次に、第１〜第３の変形例によるスペーサについて、図１Ｂ〜図１Ｅを用いて説明する。いずれの変形例によっても、上述した効果を得ることができる。
【００６６】
（第１の変形例）
図１Ｂは、第１の変形例によるスペーサの中央領域における横断面図を示している。本変形例では、サポートプレート部材は、図１Ｂに示すように、サポートプレート部材１４Ａ及びサポートプレート部材１４Ｂからなる。
【００６７】
これらのサポートプレート部材１４Ａ，１４Ｂは、前述のサポートプレート部材１４を凸状部１４ａの稜線に沿って切断することにより形成されたものである。サポートプレート部材１４Ａおよび１４Ｂの各々は、凸状部１４ａ側の端部がウォータロッド支持部材１３に隣接する燃料棒支持部材１１に接合され、反対側の端部がウォータロッド支持部材１３に接合されている。
【００６８】
（第２の変形例）
図１Ｃは、第２の変形例によるスペーサの中央領域における横断面図を示している。本変形例では、サポートプレート部材１５は、図１Ｃに示すように、板状の部材である。サポートプレート部材１５の一端は、ウォータロッド支持部材１３に接合され、他端はウォータロッド支持部材１３に隣接する燃料棒支持部材１１に接合されている。
【００６９】
なお、サポートプレート部材１５は、燃料棒支持部材１１の周面に直接接合されてもよいし、あるいは、図１Ｃに示すように、隣り合う２つの燃料棒支持部材１１，１１の接続部２０に接合されてもよい。
【００７０】
また、サポートプレート部材１５は、図１Ｄに示すように、ウォータロッド支持部材１３に隣接する燃料棒支持部材１１ごとに複数設けられてもよい。
【００７１】
本変形例による板状のサポートプレート部材１５は、圧力損失の増加を抑制する観点からは、図１Ｃ及び図１Ｄに示すように、燃料集合体の軸方向と平行に設けられていることが好ましい。
【００７２】
（第３の変形例）
図１Ｅは、第３の変形例によるスペーサの中央領域における横断面図を示している。本変形例では、図１Ｅに示すように、サポートプレート部材１６は管状の部材である。サポートプレート部材１６は、ウォータロッド支持部材１３に接合されるとともに、ウォータロッド支持部材１３に隣接する燃料棒支持部材１１に接合されている。
【００７３】
本変形例による管状のサポートプレート部材１６は、圧力損失の増加を抑制する観点からは、図１Ｅに示すように、中心軸が燃料集合体の軸方向と平行になるように設けられ、かつ軸方向について径が変化しないことが好ましい。
【００７４】
上記のようにサポートプレート部材は様々な形態を想定することが可能であるが、これらに限定されるものではなく、いずれの形態においても、サポートプレート部材は、間隙空間Ｃに配置され、ウォータロッド支持部材１３と、ウォータロッド支持部材１３に隣接する燃料棒支持部材１１とを接続し、燃料集合体への水平方向の荷重に対する間隙空間Ｃにおけるスペーサの強度を補強するように構成されている。
【００７５】
（第２の実施形態）
次に、図２Ａ及び図２Ｂを用いて、本発明の第２の実施形態について説明する。第２の実施形態と第１の実施形態との相違点の一つは、サポートプレート部材が燃料集合体の軸方向（冷却材の流れ）に対して傾斜する領域を含んでおり、この傾斜の方向が、スペーサを通過した冷却材がウォータロッドに隣接する燃料棒に向かうように設定されていることである。なお、本実施形態は、サポートプレート部材以外については、第１の実施形態と同等である。
【００７６】
図２Ａは、第２の実施形態に係る燃料集合体の中央領域の、上部領域に配置されたスペーサの高さ位置における横断面を示している。図２Ａ中の矢印Ｆは、傾斜領域Ｅの傾斜面による冷却材の偏向方向を示している。図２Ｂ（ａ），（ｂ）は、図２ＡのＡ−Ａ線に沿う端面図である。
【００７７】
本実施形態では、サポートプレート部材１４の凸状部１４ａと端部１４ｃとの間に位置する平坦部１４ｂには、下側（冷却材の上流側）にいくほどサポートプレート部材１４とウォータロッド支持部材１３とで画成された空間Ｄに向かって大きく凹む傾斜領域Ｅが形成されている。この傾斜領域Ｅは、平坦部１４ｂに対し、例えばプレス加工を施すことにより形成される。
【００７８】
サポートプレート部材１４にはこのような傾斜領域Ｅが設けられているため、図２Ａに示すように、下側（上流側）から流入する冷却材の流れの方向は、傾斜領域Ｅの傾斜に従って偏向される。これにより、間隙空間Ｃを通過する冷却材はウォータロッド５に隣接する燃料棒４に向かうことになる。即ち、傾斜領域Ｅの傾斜面が冷却材をウォータロッドの周辺の燃料棒に導く。
【００７９】
よって、本実施形態によれば、第１の実施形態と同様にスペーサの所望の強度を確保できることに加えて、ウォータロッド５に隣接する燃料棒４の限界出力を向上させることができる。
【００８０】
ここで、傾斜領域Ｅの形状（傾斜の与え方）について、図２Ｂ（ａ）及び（ｂ）に代表的な例を示す。
【００８１】
図２Ｂ（ａ）は、傾斜領域Ｅの傾斜面が一様な傾きを有する場合である。この場合、傾斜領域Ｅの縦断面形状は、燃料集合体の軸方向に対して一様な傾きを有する直線形状となる。
【００８２】
図２Ｂ（ｂ）は、傾斜領域Ｅの傾斜面が一様な傾きを有する部分と、冷却材下流側で傾きがより大きくなっている部分とから構成される場合である。この場合、傾斜領域Ｅの縦断面形状は、下側では、燃料集合体の軸方向に対して第１の傾きで傾斜し、上側では、燃料集合体の軸方向に対して第１の傾きよりも大きい第２の傾きで傾斜している。このように傾斜面の傾きが大きい部分を設けることで、圧力損失が大きくなるものの、ウォータロッド周辺の燃料棒の限界出力を向上させることができる。
【００８３】
なお、傾斜領域Ｅの形状については、上記の例に限らず、設計対象の燃料集合体に対する、圧力損失や限界出力の設計条件に応じて適宜詳細を決めることが可能である。例えば、傾斜領域Ｅは、燃料集合体の軸方向を軸線とした曲げ部を介して、複数の傾斜面から構成されてもよい。各傾斜面の法線はそれぞれに割り当てられた燃料棒に向くようにすることが好ましい。これにより、除熱性能を確保ないし改善したい燃料棒に冷却材を効率的に導くことができる。
【００８４】
また、サポートプレート部材を燃料集合体の軸方向に対して傾斜させることで冷却材を所望の燃料棒に導くという技術的思想は他の形状のサポートプレート部材にも適用することが可能である。
【００８５】
例えば、図１Ｃ及び図１Ｄを用いて説明した第２の変形例の場合、板状のサポートプレート部材１５は、ウォータロッド支持部材１３に隣接する燃料棒支持部材１１のうち所定の燃料棒支持部材の方に向くように燃料集合体の軸方向に対して傾斜して設けられてもよい。
【００８６】
また、サポートプレート部材１５は、燃料集合体の軸方向と直交する折り曲げ線に沿って折り曲げられ、その縦断面形状が、折り曲げ線の下側では、燃料集合体の軸方向に対して第１の傾きで傾斜し、折り曲げ線の上側では、燃料集合体の軸方向に対して第１の傾きよりも大きい第２の傾きで傾斜していてもよい。
【００８７】
また、図１Ｅを用いて説明した第３の変形例の場合、管状のサポートプレート部材１６は、中心軸が燃料集合体の軸方向と平行になるように設けられ、かつ径が燃料集合体の上側にいくにつれて大きくなるように構成されてもよい。さらに、管状のサポートプレート部材１６は、その径が、下側では、燃料集合体の上側にいくにつれて第１の増加率で大きくなり、上側では、燃料集合体の上側にいくにつれて第１の増加率よりも大きい第２の増加率で大きくなるように構成されてもよい。
【００８８】
また、管状のサポートプレート部材１６は、ウォータロッド支持部材１３に隣接する燃料棒支持部材１１のうち所定の燃料棒支持部材の方に向くように、中心軸が燃料集合体の軸方向に対して傾斜するように設けられていてもよい。
【００８９】
（第３の実施形態）
次に、図３Ａ及び図３Ｂを用いて、本発明の第３の実施形態について説明する。第３の実施形態と第２の実施形態の相違点の一つは、サポートプレート部材の一部が燃料棒支持部材の上端（スペーサ本体の上端）よりも上方に突出しており、この突出した部分が冷却材の流れ（燃料集合体の軸方向）に対して傾斜する領域を含むことである。なお、本実施形態は、サポートプレート部材以外については、第１の実施形態と同等である。
【００９０】
図３Ａは、第３の実施形態に係る燃料集合体の中央領域の、上部領域に配置されたスペーサの高さ位置における横断面を示している。図３Ｂ（ａ），（ｂ）は、図３ＡのＢ−Ｂ線に沿う端面図である。
【００９１】
本実施形態では、サポートプレート部材１４は、燃料棒支持部材１１の上端よりも高い位置に突出した傾斜突出部１４ｄを有する。この傾斜突出部１４ｄは、上側（冷却材の下流側）にいくにつれて、ウォータロッド支持部材１３に隣接する燃料棒支持部材１１に向かうように傾斜している。
【００９２】
図３Ｂ（ａ）及び（ｂ）にサポートプレート部材１４の具体的な形状の例を示す。この例では、第２の実施形態（図２Ｂ（ａ）、（ｂ））と同様に、スペーサ本体の高さ範囲内に傾斜を設けている。即ち、図３Ｂ（ａ）は、図２Ｂ（ａ）に示すサポートプレート部材に傾斜突出部１４ｄを追加した形状であり、図３Ｂ（ｂ）は、図２Ｂ（ｂ）に示すサポートプレート部材に傾斜突出部１４ｄを追加した形状である。
【００９３】
このように、スペーサ本体の上端よりも上側に傾斜突出部を設けることにより、スペーサ本体の高さ範囲においてスペーサ（サポートプレート部材）の投影面積が大きく増大することを防ぎ、かつ、冷却材がスペーサの上端を通過する際に流路断面積が急拡大することを抑える。これにより、第３の実施形態によれば、第１及び第２の実施形態と同様の効果、即ち、スペーサの強度確保およびウォータロッドに隣接する燃料棒の限界出力の向上という効果が得られるのに加えて、スペーサにおける圧力損失の増大を抑制することができる。
【００９４】
なお、冷却材を燃料棒に向けて偏向させる機能をすべて、傾斜突出部１４ｄに担わせる実施形態も想定される。図４は、そのような本実施形態の変形例によるサポートプレート部材の端面図を示している。図４に示すように、スペーサ本体の高さ範囲内には傾斜を設けずに、傾斜突起部１４ｄを設けることで、サポートプレート部材の投影面積をより小さくすることができる。
【００９５】
サポートプレート部材の傾斜部の形状については、設計対象とする燃料集合体に対する、圧力損失や限界出力の設計条件に応じて適宜詳細を決めることが可能である。
【００９６】
また、上記の傾斜突出部は、サポートプレート部材１４に限らず、他の形状のサポートプレート部材、例えば前述の第１ないし第３の変形例によるサポートプレート部材にも設けることが可能である。
【００９７】
上記の記載に基づいて、当業者であれば、本発明の追加の効果や種々の変形を想到できるかもしれないが、本発明の態様は、上述した個々の実施形態や変形例に限定されるものではない。異なる実施形態および変形例にわたる構成要素を適宜組み合わせてもよい。特許請求の範囲に規定された内容及びその均等物から導き出される本発明の概念的な思想と趣旨を逸脱しない範囲で種々の追加、変更及び部分的削除が可能である。
【符号の説明】
【００９８】
１  燃料集合体
２  上部タイプレート
３  下部タイプレート
４  燃料棒
５  ウォータロッド
５ａ  （ウォータロッドの）細径部
５ｂ  （ウォータロッドの）太径部
６Ａ，６Ｂ，６Ｃ  スペーサ
７  チャンネルボックス
８，９  部分長燃料棒
１１  燃料棒支持部材
１２  バンド
１３  ウォータロッド支持部材
１４  サポートプレート部材
１４Ａ，１４Ｂ  サポートプレート部材
１４ａ  凸状部
１４ｂ  平坦部
１４ｃ  端部
１４ｄ  傾斜突出部
１５，１６  サポートプレート部材
２０  接続部
Ｃ  間隙空間
Ｄ  （サポートプレート部材とウォータロッド支持部材とで画成される）空間
Ｅ  傾斜領域
Ｆ  冷却材の偏向方向
【図１Ａ】
0005972644.tif 000002
【図１Ｂ】
0005972644.tif 000003
【図１Ｃ】
0005972644.tif 000004
【図１Ｄ】
0005972644.tif 000005
【図１Ｅ】
0005972644.tif 000006
【図２Ａ】
0005972644.tif 000007
【図２Ｂ】
0005972644.tif 000008
【図３Ａ】
0005972644.tif 000009
【図３Ｂ】
0005972644.tif 000010
【図４】
0005972644.tif 000011
【図５】
0005972644.tif 000012
【図６】
0005972644.tif 000013